(57)【要約】  基板（２０１）と基板（２０１）の少なくとも一部を覆うホログラフィック導波管（２０２）とを少なくとも含む光学物品（２００）であって、ホログラフィック導波管（２０２）は、その少なくとも１つが基板（２０１）の表面（２０１ａ）に適合する２つの主面（２０３、２０４）と、少なくとも第１及び第２の区域（Ｚ１、Ｚ２）であって、前記第１及び第２の区域（Ｚ１、Ｚ２）の一方に入射する光が前記第１の及び第２の区域（Ｚ２、Ｚ１）の他方の区域の方向に少なくとも部分的に誘導されるように構成された第１及び第２の区域（Ｚ１、Ｚ２）を含む、光学物品（２００）。
2020528571.tif 000002
【特許請求の範囲】
【請求項１】
−  基板（１０１、２０１、３０１）、及び
−  前記基板（１０１、２０１、３０１）の少なくとも一部を覆うホログラフィック導波管（１０２、２０２、３０２）を少なくとも含む光学物品（１００、２００、３００）であって、
前記ホログラフィック導波管（１０２、２０２、３０２）は、
−  その少なくとも１つが前記基板（１０１、２０１、３０１）の表面（１０１ａ、２０１ａ、３０１ａ）に適合する２つの主面（１０３、１０４、２０３、２０４、３０３、３０４）、及び、
−  少なくとも第１及び第２の区域（Ｚ１、Ｚ２）であって、前記第１及び第２の区域（Ｚ１、Ｚ２）の一方に入射する光が前記第１及び第２の区域（Ｚ２、Ｚ１）の他方の区域の方向に少なくとも部分的に誘導されるように構成された少なくとも第１及び第２の区域（Ｚ１、Ｚ２）を含む、光学物品（１００、２００、３００）。
【請求項２】
−  前記ホログラフィック導波管（１０２、２０２、３０２）はさらに１つの周辺縁（１０５、２０５、３０５）を含み、
−  前記第１の区域（Ｚ１）は前記ホログラフィック導波管の前記周辺縁の少なくとも一部分を含み、
−  前記第２の区域（Ｚ２）は前記ホログラフィック導波管（１０２、２０２、３０２）の主面の一方の主面の少なくとも一部分を含む、請求項１に記載の光学物品（１００、２００、３００）。
【請求項３】
前記ホログラフィック導波管（１０２、２０２、３０２）は前記基板の前記表面の少なくとも１０％にわたって、好適には前記表面の少なくとも５０％にわたって、さらに好適には前記表面の少なくとも７０％にわたって、さらに好適には前記基板の全表面にわたって延びる、ことを特徴とする請求項１又は２に記載の光学物品（１００、２００、３００）。
【請求項４】
複数のホログラフィック導波管を含むことを特徴とする請求項１乃至３のいずれか一項に記載の光学物品（１００、２００、３００）。
【請求項５】
各ホログラフィック導波管はそれぞれ異なる波長の光をそのそれぞれの第１及び第２の区域間に選択的に伝搬させるように構成される、ことを特徴とする請求項４に記載の光学物品（１００、２００、３００）。
【請求項６】
各ホログラフィック導波管により伝播される光線は前記ホログラフィック導波管のそれぞれの第２の区域（Ｚ２）に対する法線に対する様々な角度に従って前記第２の区域（Ｚ２）に出入りする、ことを特徴とする請求項４又は５に記載の光学物品（１００、２００、３００）。
【請求項７】
−  前記光学物品はさらに、前記ホログラフィック導波管の一方の主面の周囲に位置し光を前記ホログラフィック導波管中へ結合する又はそれから結合解除するように構成された結合装置（ＣＤ）を含み、
−  前記結合装置（ＣＤ）は好適には被膜又は格子のうちの１つから選択される、ことを特徴とする請求項１乃至６のいずれか一項に記載の光学物品（１００、２００、３００）。
【請求項８】
前記第１の区域（Ｚ１）は、前記ホログラフィック導波管の周辺縁の少なくとも５０％にわたって、好適には前記周辺縁の少なくとも７０％にわたって、さらに好適には前記周辺縁の全表面にわたって延びることを特徴とする請求項１乃至７のいずれか一項に記載の光学物品（１００、２００、３００）。
【請求項９】
前記基板は以下のもの：
−  平面基板（１０１）、
−  湾曲基板（２０１）、
−  半完成レンズブランク（２０１）又は眼科用レンズ（３０１）、
からなるグループから選択されることを特徴とする請求項１乃至８のいずれか一項に記載の光学物品（１００、２００、３００）。
【請求項１０】
前記ホログラフィック導波管（２０２、３０２）の前記主面（２０３、２０４、３０３、３０４）の少なくとも１つは前記基板（２０１、３０１）の曲面（２０１ａ、３０１ａ）に対して平行に延びることを特徴とする請求項１乃至９のいずれか一項に記載の光学物品（２００、３００）。
【請求項１１】
前記ホログラフィック導波管の２つの前記主面は前面及び裏面を形成し、前記裏面は装着者の眼の方向へ向けられるように意図され、前記前面は外部環境の方向へ向けられるように意図されていることと、
前記第２の区域は入力区域であり前記第１の区域は出力区域であることを特徴とする請求項１乃至１０のいずれか一項に記載の光学物品（１００、２００、３００）。
【請求項１２】
光学装置（１００、２００、３００）であって、
請求項１〜１１のいずれか一項に記載の光学物品を含み、
−  少なくとも１つのセンサ（Ｓ１、Ｓ２、Ｓ３、Ｓ４）、太陽電池、前記第１の区域（Ｚ１）において出力される光又は請求項７に記載の結合装置（ＣＤ）により出力される光を受信するように構成された光トラップ又は吸収器、又は
−  前記ホログラフィック導波管（ＨＷ）中に結合されるように意図された光を前記第２の区域（Ｚ２）の方向に発射するように構成された少なくとも１つの発光体（ＬＥ）をさらに含む光学装置（１００、２００、３００）。
【請求項１３】
前記光学物品（１００、２００、３００）はフレーム上の取り付けられるように意図されていることと、前記少なくとも１つのセンサ（Ｓ１、Ｓ２、Ｓ３、Ｓ４）、太陽電池、光トラップ、吸収器又は発光体（ＬＥ）は前記ホログラフィック導波管の近傍の前記フレーム上に置かれることとを特徴とする請求項１２に記載の光学装置（１００、２００、３００）。
【請求項１４】
光を基板内で選択的に伝搬させる方法であって、
−  基板（１０１、２０１、３０１）と前記基板（１０１、２０１、３０１）の少なくとも一部を覆うホログラフィック導波管（１０２、２０２、３０２）とを含み、さらに、
−  その少なくとも１つが前記基板（１０１、２０１、３０１）の表面（１０１ａ、２０１ａ、３０１ａ）に適合する２つの主面（１０３、１０４、２０３、２０４、３０３、３０４）及び、
−  少なくとも第１及び第２の区域（Ｚ１、Ｚ２）であって、前記第１及び第２の区域（Ｚ１、Ｚ２）の一方に入射する光が前記第１及び第２の区域（Ｚ２、Ｚ１）の他方の区域の方向に少なくとも部分的に誘導されるように構成された少なくとも第１及び第２の区域（Ｚ１、Ｚ２）を含む光学物品（１００、２００、３００）を設ける工程と、
−  前記第１及び第２の区域（Ｚ１、Ｚ２）の一方に到達する光により前記ホログラフィック導波管（１０２、２０２、３０２）を照明する工程と、
−  前記光を前記ホログラフィック導波管中に選択的に結合する工程と、
−  前記ホログラフィック導波管内の光線を前記第１及び第２の区域（Ｚ２、Ｚ１）の他方の区域の方向に誘導する工程と、を含む方法。
【請求項１５】
前記光学物品を設ける前記工程は、
−  感光材（４０２）の層を基板（４０１）上へ塗布する工程と、
−  コヒーレント光のビーム（Ｂ０）を少なくとも第１及び第２のビーム（Ｂ０１，Ｂ０２）に分割する工程と、
−  前記少なくとも第１のビーム及び第２のビーム（ＲＢ，ＯＢ）の重ね合せにより前記感光材の層（４０２）内に干渉パターンを生成する工程であって、この工程は、
−  少なくとも第１のビーム（ＯＢ）を前記感光材の層（４０２）中に結合することにより
−  前記少なくとも第２のビーム（ＲＢ）によりレンズの外側から前記感光材の層を照明することにより、行われ、
前記干渉パターンは前記感光材（４０２）内の少なくとも一周波数に従って空間的に変化する屈折率変更を誘起する、工程
を含むことを特徴とする請求項１４に記載の方法。
【発明の詳細な説明】
【技術分野】
【０００１】
本発明は、例えばスマート眼鏡及び窓内の受動及び能動部品の一体化に関し、このようなスマート装置に到達する光の選択的収集及びユーザの方向の光の選択的放射に関する。
【背景技術】
【０００２】
スマート眼鏡又は窓内の部品の一体化は多くの興味ある用途を有する。
【０００３】
例えば、エレクトロクロミック（ＥＣ）眼鏡又は液晶眼鏡及び窓の場合、センサが、環境の光度を測定するために使用され、そしてユーザの眩しさを回避するためにエレクトロクロミック素子又は液晶の活性化を制御するために使用される。
【０００４】
しかし、このようなスマート眼鏡及び窓の自律性は、それらのフレーム内に一体化され得る電池により制限される。このような光学装置内のセンサの一体化はまた、利用可能な限定空間を所与として複雑化され得、フレームの穴を作製すること又はフレームの特別な適応化を必要とし得る。
【０００５】
スマート眼鏡の別の例は頭部装着型ディスプレイであり、ここでは、ディスプレイにより生成された光が、ディスプレイにより発射された光を装着者の眼の方向に反射するために切子面を有するガラス板を使用して装着者の眼の方向へ向けられる。
【０００６】
例えば、頭部装着型ディスプレイの実施形態は特許文献１に開示されている。
【０００７】
これらのガラス板は、数ｍｍの厚さを有し、したがって嵩張る。さらに、これらのガラス板は必ず平坦であり、このことが日常生活アイウェアの眼鏡内のこれらの一体化を不安定にする。その結果の装置は装着者にとって重く、不快であり、且つ非美的であり得る。
【０００８】
いくつかの眼鏡もまた、ＵＶ又はいくつかの青色波長などの望ましくない波長の光を、このような波長が装着者の方向に向けられるということを回避するために、選択的に反射するようにされたフィルタを備える。しかし、これらのフィルタは、光を他のユーザの方向に反射し得、また非美的色付き反射を誘起し得る。したがって、望ましくない波長を他のユーザの方向に反射することなく、この望ましくない波長の収集を可能にする選択フィルタを提供することが望ましいだろう。
【０００９】
したがって、フィルタ又はセンサが光学装置へ取り込まれる用途においてアイウェア又は窓により受信される光の選択的収集の必要性に加えて、スマート眼鏡における頭部装着型ディスプレイなどの用途ではユーザに向かう光の選択的指向放射を改善する必要がある。
【先行技術文献】
【特許文献】
【００１０】
【特許文献１】国際公開第２０１３／１３８１０７号パンフレット
【特許文献２】国際公開第２０１７／００５６０８号パンフレット
【特許文献３】欧州特許出願公開第２１８７２５４Ａ１号明細書
【特許文献４】欧州特許出願公開第０３７７１８２Ａ２号明細書
【発明の概要】
【発明が解決しようとする課題】
【００１１】
上記を考慮し、本発明の１つの目的は、従来技術の不都合の少なくとも一部分を軽減することである。
【００１２】
特に、本発明の１つの目的は、このような光学装置のコンパクト設計を維持する一方で、センサ、ディスプレイ又は太陽電池などのスマート部品の光学装置内への一体化をより容易にすることである。
【００１３】
本発明の別の目的は、光学装置の方向へ向けられる波長を他のユーザの方向へ反射することなく、これら波長の選択的収集を可能にすることである。
【００１４】
本発明の別の目的は、ユーザにとってより明るく、より快適且つ美的である頭部装着型ディスプレイを取り込む眼鏡の製造を可能にすることである。
【課題を解決するための手段】
【００１５】
この目的を達成するために、第１の態様によると、
−  基板、及び
−  基板の少なくとも一部を覆うホログラフィック導波管を少なくとも含む光学物品であって、ホログラフィック導波管は、
−  その少なくとも１つが基板の表面に適合する２つの主面、並びに
−  少なくとも第１及び第２の区域であって、前記第１及び第２の区域の一方に入射する光が前記第１及び第２の区域の他方の区域の方向に少なくとも部分的に誘導されるように構成された第１及び第２の区域を含む、光学物品が提案される。
【００１６】
本発明によると、ホログラフィック導波管は、少なくとも一周波数に従って空間的に変化する屈折率を含む感光材で形成される。
【００１７】
一実施形態によると、ホログラフィック導波管はさらに１つの周辺縁を含み、第１の区域はホログラフィック導波管の周辺縁の少なくとも一部分を含み、第２の区域はホログラフィック導波管の主面の一方の主面の少なくとも一部分を含む。
【００１８】
いくつかの実施形態では、光学物品はさらに、以下の特徴のうちの１つ又はその組み合わせを含み得る：
−  ホログラフィック導波管は基板の表面の少なくとも１０％にわたって、好適には前記表面の少なくとも５０％にわたって、さらに好適には前記表面の少なくとも７０％にわたって、さらに好適には基板の全表面にわたって延びる、
−  光学物品は複数のホログラフィック導波管を含む、
−  ホログラフィック導波管は互いに重畳される、
−  ホログラフィック導波管は基板の表面の様々な部分にわたって延びる、
−  各ホログラフィック導波管は、それぞれ異なる波長の光をそのそれぞれの第１及び第２の区域間で選択的に伝播するように構成される、
−  各ホログラフィック導波管により伝播された光線は、導波管の第２の区域に対する法線に対する様々な角度に従ってそれぞれの前記第２の区域に出入りする、
−  光学物品はさらに、導波管の一方の主面の周囲に位置し、光をホログラフィック導波管中へ結合する又はそれから結合解除するように構成された結合装置を含む、
−  結合装置は好適には、被膜又は格子（例えばホログラフィック格子）のうちの１つから選択される、
−  結合装置は受動的であっても能動的であってもよく、能動結合装置は命令信号により駆動又は活性化され、能動結合光学装置は例えば一組の液晶セルを含み得、活性化又は駆動された液晶セルは振幅格子又は位相格子を提供する、
−  第１の区域は、ホログラフィック導波管の周辺縁の少なくとも５０％にわたって、好適には前記周辺縁の少なくとも７０％にわたって、さらに好適には前記周辺縁の全表面にわたって、延びる、
−  基板は次のものからなるグループから選択される：
○  平面基板、
○  湾曲基板、
○  半完成レンズブランク、又はコンタクトレンズであり得る眼科用レンズ、
○  マスク、
−  ホログラフィック導波管の主面の少なくとも一方は基板の曲面に対し平行に延びる、
−  ホログラフィック導波管の２つの主面は前面と裏面とを形成し、裏面は装着者の眼の方向へ向けられるように意図されており、前面は外部環境の方向へ向けられるように意図されており、第２の区域は入力区域であり、第１の区域は出力区域である。
【００１９】
第２の態様によると、
−  前述の実施形態のいずれか一項に記載の光学物品を含む光学装置であって、さらに、
−  少なくとも１つのセンサ、太陽電池、第１の区域において出力される光、又は導波管の一方の主面の周囲に位置する結合装置により出力される光を受信するように構成されるとともに、光をホログラフィック導波管中に結合するように又はそれから結合解除するように構成された光トラップ又は吸収器であって、結合装置は好適には被膜又は格子（例えばホログラフィック格子）のうちの１つから選択される、光トラップ又は吸収器、又は
−  第２の区域方向のホログラフィック導波管中に結合されるように意図された光を発射するように構成された少なくとも１つの発光体を含む、光学装置が提案される。
【００２０】
前に論述されたように、結合装置は受動的又は能動的である可能性がある。
【００２１】
いくつかの実施形態では、光学物品はさらに、以下の特徴のうちの１つ又はその組み合わせを含み得る：
−  前記少なくともセンサ、太陽電池、発光体、光トラップ又は吸収器は基板上に配置される、
−  光学物品はフレーム上に取り付けられるように意図されており、少なくとも１つのセンサ、太陽電池、光トラップ、吸収器又は発光体はホログラフィック導波管の近傍のフレーム上に置かれ、フレームと光学物品との間に任意選択的結合装置を有する。
【００２２】
第３の態様によると、光を基板内で選択的に伝搬させる方法も提案される。本方法は、以下の工程を含む：
−  基板と基板の少なくとも一部を覆うホログラフィック導波管とを含む光学物品を設ける工程であって、光学物品はさらに、
−  少なくとも１つが基板の表面に適合する２つの主面と、
−  少なくとも第１及び第２の区域であって、第１及び第２の区域の一方に入射する光が前記第１の及び第２の区域の他方の区域の方向に少なくとも部分的に誘導されるように構成された第１及び第２の区域を含む、工程と、
−  第１及び第２の区域の一方に到達する光によりホログラフィック導波管を照明する工程と、
−  この光を導波管中に選択的に結合する工程と、
−  ホログラフィック導波管内の光線を第１及び第２の区域の他方の区域の方向に誘導する工程。
【００２３】
一実施形態によると、光学物品を設ける工程は以下の工程を含む：
−  感光材の層を基板上へ塗布する工程と、
−  コヒーレント光のビームを少なくとも第１及び第２のビームに分割する工程と、
−  少なくとも第１のビーム及び第２のビームの重ね合せにより感光材の層内の干渉パターンを生成する工程であって、この工程は、
−  少なくとも第１のビームを感光材の層中に結合することにより、
−  少なくとも第２のビームによりレンズの外側から感光材の層を照明することにより、行われ、干渉パターンは感光材内の少なくとも一周波数に従って、空間的に変化する屈折率変更を誘起する、工程。
【００２４】
本発明による光学物品は、光を導波管の表面に位置する１つの区域からその周囲の方向に向けることを可能にする。ホログラフィック導波管内に向けられる光は、その波長と導波管に対する配向とに従って選択され得る。これは、ＵＶ又は青色波長などの望ましくない波長を他のユーザの方向に反射することなく濾過することを可能にする。
【００２５】
センサがまた、収集された光の特徴を測定するために光学物品の周囲に又は光学物品のフレーム内に設けられ得る。例えば、このようなセンサは、環境光度を測定し、エレクトロクロミック（ＥＣ）眼鏡又は液晶眼鏡を制御し得る。
【００２６】
光学物品はまた、光学物品の周辺縁に向けて配向された発射器からユーザへ光を向けることを可能にする。したがって、本光学物品は例えば頭部装着型ディスプレイ用途において使用され得る。光学物品はホログラフィック導波管を基板上に形成することにより得られるので、前記基板は湾曲眼科用レンズとなり得る。したがって、導波管は湾曲眼科用レンズ中に容易に取り込まれ得、頭部装着型ディスプレイを含むその結果の眼鏡は、より明るく、より美的であり、且つそれほど嵩張らなくなり得る。
【００２７】
提案された解決案のさらなる詳細、態様及び実施形態は添付図面を参照して単に一例として説明されることになる。
【図面の簡単な説明】
【００２８】
【図１Ａ】本発明の一実施形態における光学物品を示す図である。
【図１Ｂ】本発明の一実施形態における光学物品を示す図である。
【図１Ｃ】本発明の一実施形態における光学物品を示す図である。
【図２Ａ】ホログラフィック導波管の原理を示す図である。
【図２Ｂ】ホログラフィック導波管の原理を示す図である。
【図２Ｃ】ホログラフィック導波管の原理を示す図である。
【図３Ａ】ホログラフィック導波管の第１及び第２の区域の様々な配置とそれらの用途のいくつかを示す図である。
【図３Ｂ】ホログラフィック導波管の第１及び第２の区域の様々な配置とそれらの用途のいくつかを示す図である。
【図３Ｃ】ホログラフィック導波管の第１及び第２の区域の様々な配置とそれらの用途のいくつかを示す図である。
【図４Ａ】結合装置を含むホログラフィック導波管の正面図である。
【図４Ｂ】結合装置を含むホログラフィック導波管の側面図である。
【図５】ホログラフィック導波管の記録のために使用される光学的セットアップの例を示す。
【図６】一実施形態による複数のホログラフィック導波管の配置と用途の例とを示す。
【発明を実施するための形態】
【００２９】
図１Ａは本発明の第１の実施形態による光学物品１００を示す。光学物品１００は基板１０１とホログラフィック導波管１０２とを含む。基板１０１は第１及び第２の表面１０１ａ、１０１ｂをそれぞれ有する。基板１０１は平面であり、例えば窓であり得る。ホログラフィック導波管１０２は、基板の少なくとも一部を覆い、第１の主面１０３、第２の主面１０４及び周辺縁１０５を含む。したがって第１の主面１０３は基板１０１の平面に適合する。第２の主面１０４は第１の主面１０３に対しほぼ平行である。
【００３０】
ホログラフィック導波管１０２はさらに第１の区域Ｚ１及び第２の区域Ｚ２を含む。第１の区域Ｚ１はホログラフィック導波管１０２の周辺縁１０５の少なくとも一部分を含む。第２の区域Ｚ２はホログラフィック導波管１０２の２つの主面１０３、１０４の一方の少なくとも一部分を含む。ホログラフィック導波管１０２は、図３Ａ、３Ｂ、及び３Ｃを参照して示される当該用途に依存して、入力区域である第１の区域Ｚ１に入射する光が出力区域である第２の区域Ｚ２の方向に少なくとも部分的に誘導されるように、又は入力区域である第２の区域Ｚ２に入射する光が出力区域である第１の区域Ｚ１の方向に少なくとも部分的に誘導されるように、構成される。ホログラフィック導波管１０２は図２Ａ、２Ｂ、２Ｃを参照してさらに説明される。
【００３１】
図１Ｂは第２の実施形態による光学物品２００を示す。光学物品２００は基板２０１及びホログラフィック導波管２０２を含む。基板２０１は第１及び第２の表面２０１ａ、２０１ｂをそれぞれ有する。少なくとも第１の表面２０１ａは湾曲される。基板２０１は半完成レンズブランクであり得、この場合、第２の表面２０１ｂは図１Ｂに表されるように平面である。第２の表面２０１ｂは、球状度数及び非点収差を含む処方箋データなどの装着者に関するデータに従って機械加工されるように意図されている。基板２０１は眼科用レンズであり得、この場合、第２の表面２０１ｂは湾曲される。
【００３２】
ホログラフィック導波管２０２は、基板２０１の少なくとも一部分を覆い、第１の主面２０３、第２の主面２０４及び周辺縁２０５を含む。第１の主面２０３は基板２０１の曲面２０１ａに適合する。第２の主面２０４は湾曲された第１の主面２０３に対しほぼ平行である。したがってホログラフィック導波管は湾曲され、したがって、得られた半完成レンズブランク又は眼科用レンズは、それほど嵩張らなく、特に、通常の厚い直線導波管ほど嵩張らない。
【００３３】
ホログラフィック導波管２０２はさらに、先に説明したような第１の区域Ｚ１及び第２の区域Ｚ２を含む。
【００３４】
光学物品２００はさらに１つ又は複数の追加層２０６を含み得る。追加層２０６は、例えば別のホログラフィック導波管、保護層、膜又はウエハ、反射防止被膜などの機能層、分極層、フォトクロミック素子を含む層、エレクトロクロミック素子を含む層、液晶セル素子を含む層及び／又は少なくとも部分的に透明な導電層のうちの１つ又は複数であり得る。２つの少なくとも部分的に透明な導電層が、例えばエレクトロクロミック素子又は液晶セル素子を含む層を制御するために、又は能動ホログラフィック導波管を制御するために使用され得る。
【００３５】
１つ又は複数の追加層２０６は、ホログラフィック導波管２０２の上に、すなわち図１Ｂに表されるように第２の主面２０４上に、及び／又はホログラフィック導波管２０２の第１の主面２０３の下に置かれ得る。一変形形態によると、基板２０１は、例えば、追加層２０６を含み、基板の第１の表面２０１ａは追加層２０６により形成される。
【００３６】
図１Ｃは第３の実施形態による光学物品３００を示す。光学物品３００は第１の基板３０１、ホログラフィック導波管３０２及び第２の基板３０６を含む。第１の基板３０１及び第２の基板３０６は２つの主面３０１ａ、３０１ｂ、及び３０６ａ、３０６ｂをそれぞれ含む。第１の基板３０１及び第２の基板３０６はまた周辺縁３０１ｃ及び３０６ｃをそれぞれ含む。ホログラフィック導波管３０２は第１の主面３０３、第２の主面３０４及び周辺縁３０５を含む。ホログラフィック導波管３０２の第１の主面３０３は第１の基板３０１の主面３０１ａに適合し、ホログラフィック導波管３０２の第２の主面３０４は第２の基板３０６の第１の表面３０６ａに適合する。したがって、ホログラフィック導波管は、第１及び第２の基板３０１、３０６の間の光学物品３００内に埋め込まれる。ホログラフィック導波管３０２はさらに、先に説明したような第１の区域Ｚ１及び第２の区域Ｚ２を含む。
【００３７】
光学物品３００は眼科用レンズであり得、この場合、外面３０６ｂ及び３０１ｂは好適には図１Ｃに表されるように湾曲される。光学物品３００はまた半完成ブランクであり得、この場合、外面３０６ｂ又は３０１ｂの一方だけが湾曲される。
【００３８】
ホログラフィック導波管３０２の第１及び第２の表面３０３、３０４は好適には互いにほぼ平行である。第１及び第２の基板３０１、３０６の内面３０１ａ及び３０６ａは外面３０６ｂ及び３０１ｂと同じ曲率半径を有し得る。代替案では、第１及び第２の基板３０１、３０６の内面３０１ａ及び３０６ａは平坦であり得る。
【００３９】
図１Ｂ及び１Ｃの実施形態では、光学物品２００、３００は半完成レンズブランク又は眼科用レンズであり得、主面の一方（裏面）は装着者の眼の方向へ向けられるように意図されており、他の主面（前面）は外部環境の方向へ向けられるように意図されている。基板３０１及び３０６は、処方箋、非点収差、加入度数のような矯正機能の一部を担う可能性がある。
【００４０】
光学物品３００は、第１の基板３０１と第２の基板３０６との間への感光材の注入により形成され得、第１の基板３０１と第２の基板３０６とはホログラフィック導波管の幅に対応する所与距離に維持され、２つの基板３０１、３０６の間の空間の一部はその周囲上で閉塞される。別の変形形態によると、ホログラフィック導波管３０２は第１及び第２の基板３０１、３０６の内面３０１ａ及び３０６ａに接着され得る。ホログラフィック導波管が能動ホログラフィック導波管である場合、能動ホログラフィック導波管は、第１及び第２の基板３０１、３０６の内面３０１ａ及び３０６ａに接着される２つの少なくとも部分的に透明な導電層により囲まれる。
【００４１】
光学物品３００もまた窓であり得、この場合、両方の外面３０６ｂ又は３０１ｂは平面である。
【００４２】
ホログラフィック導波管は、先に説明した基板の一方の基板の表面の少なくとも１０％にわたって、好適には前記表面の少なくとも５０％にわたって、さらに好適には前記表面の少なくとも７０％にわたって、さらに好適には基板の全表面にわたって延び得るということに留意されたい。
【００４３】
ホログラフィック導波管は、少なくとも一周波数に従って空間的に変化する屈折率を含む感光材で形成される。ホログラフィック導波管はホログラフィックセットアップを使用して記録される。ホログラフィック導波管は受動的であっても能動的であってもよい。能動ホログラフィック導波管は、例えば感光材が液晶と混合される場合は活性化又は非活性化され得る。能動ホログラフィック格子の例は、例えば、特許文献２に開示されたホログラフィック高分子分散型液晶（Ｈ−ＰＤＬＣ：ｈｏｌｏｇｒａｐｈｉｃ  ｐｏｌｙｍｅｒ  ｄｉｓｐｅｒｓｅｄ  ｌｉｑｕｉｄ  ｃｒｙｓｔａｌ）、特許文献３に記載のＰｏｌｙｃｒｉｐｓ又はＰｏｌｙｐｈｅｍｓである。
【００４４】
図２Ａは、感光材により形成された感光層ＰＨＬ（ｐｈｏｔｏｓｅｎｓｉｔｉｖｅ  ｌａｙｅｒ）内のホログラフィック導波管ＨＷ（ｈｏｌｏｇｒａｐｈｉｃ  ｗａｖｅｇｕｉｄｅ）の記録を模式的に示す。感光材は例えば感光性高分子又は重クロム酸ゼラチンであり得、前述のものなどのように基板（図示せず）上に蒸着される。
【００４５】
感光性高分子は、任意の物理的状態に（液体、固体、ペーストなどで）あり、標準状態下で固体であるもの及び液体であるものを含み得る。感光性高分子製剤は通常、例えばエチレン的に不飽和な光重合可能部分を呈示する１つ又は複数の単量体又はオリゴマーと、照明波長に敏感な少なくとも１つの成分を有する光重合開始系とを含む。感光性高分子製剤は、可視光のスペクトル感度の範囲の増加を可能にする光開始剤及び光増感剤の組み合わせを含み得る。
【００４６】
これらの感光性高分子製剤は、非網羅的リストでは、高分子、溶剤、可塑剤、転写剤、界面活性剤、酸化防止剤、熱安定剤、反起泡剤、増粘剤、均染剤、触媒などの様々な添加剤を含み得る。
【００４７】
感光性高分子の例は、ＯｍｎｉＤｅｘ（すなわち、ｄｕ  Ｐｏｎｔ  ｄｅ  Ｎｅｍｏｕｒｓ（特許文献４））、Ｂａｙｆｏｌ  ＨＸ（以前はＢａｙｅｒ、最近はＣｏｖｅｓｔｒｏ）、Ｄａｒｏｌ（Ｐｏｌｙｇｒａｍａ）又はＳＭ−ＴＲ感光性高分子（Ｐｏｌｙｇｒａｍａ）などの市販感光性高分子を含む。
【００４８】
感光性高分子製剤はまた、能動ホログラフィック導波管を形成するために混合液晶と混合され得る。それらの組成に（特に溶剤の有無及びそれらの粘度に）依存して、様々なタイプの処理が想定され得る。溶剤含有製剤は、所望厚さを得るために、例えば平面基板（例えばガラス（無機又は有機）の）の回転塗布、浸漬塗布、噴霧塗布又はバー塗布、又はインクジェット印刷による塗布による、又は例えば湾曲基板（例えばガラス（無機又は有機）の）上の回転塗布、浸漬塗布、噴霧塗布、又はインクジェット印刷による塗布によるなど様々なやり方で処理され得る。塗布後、溶剤の蒸着の工程が通常、記録される準備が整った感光性高分子の層を得るために必要である。製剤が溶剤を含まない場合、それらの粘度が余りに高くなければ同じやり方で使用され得る。このケースでは、蒸着工程は必要無い。
【００４９】
感光材により基板を塗布するための説明された方法のいくつかはまた、追加層を含む基板に適用され得る。
【００５０】
感光層の厚さは通常１〜１００μｍに含まれ、好適には４〜６０μｍに含まれる。
【００５１】
感光層ＰＨＬは側面から視られる。任意のホログラフィックセットアップと同様に、感光材の層は次の少なくとも２つの異なるビームに晒される：基準ビームＲＢ（ｒｅｆｅｒｅｎｃｅ  ｂｅａｍ）及び物体ビームＯＢ（ｏｂｊｅｃｔ  ｂｅａｍ）。基準ビームＲＢ及び物体ビームＯＢは当該用途に依存して平行な集束又は分散光線で形成され得る。
【００５２】
基準ビームＲＢは第２の区域Ｚ２上の感光層の２つの主面の一方に入射し、物体ビームＯＢは第１の区域Ｚ１上の感光層ＰＨＬの１つの縁に入射する。物体ビームＯＢは感光層中に結合され、感光層中を少なくとも部分的に伝播する。感光層は、周囲空気の屈折率より高い屈折率を有する材料で形成されるので導波管を形成する。したがって、物体ビームＯＢ内に含まれる光は感光層ＰＨＬ内に誘導される。干渉パターンが、感光層内の物体ビームＯＢと基準ビームＲＢとの重ね合せにより形成される。干渉パターンは感光材の特別処理後の屈折率の変動として感光材内に記録される。したがって、感光材の屈折率は少なくとも一周波数に従って空間的に変化する。特に、屈折率は干渉パターンの強度に応じて変化する。
【００５３】
感光材が感光性高分子である場合、屈折率変動は単量体又はオリゴマーの重合により誘起される。
【００５４】
感光性高分子が液晶と混合される場合、屈折率変動は、液晶を有する領域と重合化された単量体又はオリゴマーを有する領域との交番により誘起される。使用される製剤に依存して、明るい干渉縞が液晶により又は重合化された単量体若しくはオリゴマーにより形成され得る。感光層（ホログラフィック導波管が記録される）の両側に置かれた導電層により形成された２つの電極へ張力を印可することにより、液晶は、それらの配向と、したがって光が感光層を通過することにより見られるような実効屈折率とを変更し得る。感光性高分子製剤及び混合液晶製剤の適切な選択により、液晶を含む領域内の屈折率と重合化された感光性高分子を含む領域内の屈折率とを整合させることが可能である。したがって、ホログラフィック導波管の両側に置かれた導電層上に印加される張力に依存してホログラフィック導波管を活性化又は非活性化することが可能である。
【００５５】
基準ビームＲＢ及び物体ビームＯＢが平行光線で形成される場合、屈折率は、基準ビームＲＢと物体ビームＯＢとの間の角度に依存する一周波数に従って変化する。ＲＢ又は物体ビームＯＢの少なくとも一方が集束又は分散すると、屈折率は他の周波数に従って空間的に変化する。
【００５６】
図２Ｂと図２Ｃは、ホログラフィック導波管を読む２つの異なるやり方を模式的に示す。
【００５７】
図２Ｂでは、光のビームＢ１は第１の区域Ｚ１上の感光層ＰＨＬの縁に入射する。ビームＢ１からの光の一部は、感光層内及びホログラフィック導波管内へ結合される。結合された光は、第２の区域Ｚ２の方向にホログラフィック導波管内で少なくとも部分的に誘導される。次に、光は、ホログラフィック導波管から結合解除され、ビームＢ２を形成する第２の区域Ｚ２から出て来る。
【００５８】
物体ビームに対応するビームＢ１の一部分だけがホログラフィック導波管ＨＷ内に効率的に結合される。読むために使用される波長が記録のために使用される波長と同じである場合、ホログラフィック導波管から出て来るビームＢ２は、Ｂ２の光線が基準ビームＲＢと同じ角度再配分（ａｎｇｕｌａｒ  ｒｅｐａｒｔｉｔｉｏｎ）を有するが反対方向に伝播するように、基準ビームＲＢに対応する。そうでなければ、読むために使用される波長が記録のために使用される波長と異なる場合、ビームＢ２の光線の角度再配分は、記録された干渉パターンに対応する空間屈折率変動又は変更に依存する。
【００５９】
図２Ｂの実施形態では、ホログラフィック導波管ＨＷの縁上の区域Ｚ１に到着した光は、特別の角度再配分でもってホログラフィック導波管ＨＷの主面の一方の主面上の区域Ｚ２から出て来る。
【００６０】
図２Ｃでは、光のビームＢ２は、第２の区域Ｚ２上の感光層ＰＨＬの主面の一方の主面上に入射している。ビームＢ２からの光の一部は、感光層ＰＨＬ内及びホログラフィック導波管ＨＷ内へ結合される。結合された光は、第１の区域Ｚ１の方向にホログラフィック導波管ＨＷ内で少なくとも部分的に誘導される。次に、光はホログラフィック導波管ＨＷから結合解除され、ビームＢ１を形成する第１の区域Ｚ１の外のホログラフィック導波管から出て来る。ビームＢ１は物体ビームＯＢに対応するが反対方向に伝播する。
【００６１】
物体ビームＯＢに対応するビームＢ２の一部分は、ホログラフィック導波管ＨＷ内へ効率的に結合される。読むために使用される波長が記録のために使用される波長と同じである場合、ホログラフィック導波管から出て来るビームＢ１は、Ｂ１の光線が物体ビームＯＢと同じ角度再配分を有するが反対方向に伝播するように、物体ビームＯＢに対応する。そうでなければ、読むために使用される波長が記録のために使用される波長とは異なる場合、ビームＢ１の光線の角度再配分は、記録された干渉パターンに対応する空間屈折率変動に依存する。
【００６２】
図２Ｃの実施形態では、特別の角度再配分でもってホログラフィック導波管ＨＷの第２の区域Ｚ２に入射する光は、第１の区域Ｚ１の近傍のホログラフィック導波管ＨＷの縁上で収集され得る。
【００６３】
したがって、ホログラフィック導波管ＨＷは、第１及び第２の区域Ｚ１、Ｚ２の一方に入射する光を第１及び第２のそれぞれの区域Ｚ２、Ｚ１の他方へ選択的に伝搬させることを可能にする。第１及び第２の区域に出入りする光は、感光材中に記録された干渉パターンに対応する少なくとも一周波数に沿って空間的に変化する屈折率により規定される角度再配分を有する。さらに、ホログラフィック導波管は、干渉パターンの記録に対応する屈折率変動に依存する特定波長の第１及び第２の区域Ｚ１、Ｚ２の一方に入射する光を第１及び第２のそれぞれの区域Ｚ２、Ｚ１の他方へ選択的に伝搬させる。
【００６４】
図３Ａ、３Ｂ、及び３Ｃは、ホログラフィック導波管の第１及び第２の区域の様々な非限定的配置を示す。
【００６５】
図３Ａは、ホログラフィック導波管の全周辺縁にわたって延びる第１の区域Ｚ１と、ホログラフィック導波管の主面の一方の主面にわたって延びる第２の区域Ｚ２とを含むホログラフィック導波管ＨＷの上面図を示す。
【００６６】
このような配置では、第２の区域Ｚ２に到着する光は例えば、収集され、ホログラフィック導波管の周辺縁の第１の区域Ｚ１の方向に誘導され得る。したがって、ホログラフィック導波管は、基板中を透過されず他のユーザの方向に向けられないＵＶ波長又は３８０〜４５０ｎｍに含まれるいくつかの青色波長などの有害な波長を排除するために使用され得る。したがって、ホログラフィック導波管は選択フィルタとして働き得る。第１の区域Ｚ１から出て来る光は吸収器又は光トラップにより収集され得る。代替的に、光は、太陽電池により収集され得、太陽電池は光学装置のフレーム内に配置された電池へ電力を供給し、前記電池は例えばエレクトロクロミック又は液晶眼鏡及び窓の電極又は頭部装着型ディスプレイの電極に電気を供給する。
【００６７】
図３Ｂは、ホログラフィック導波管の周辺縁の一部分にわたって延びる第１の区域Ｚ１と、ホログラフィック導波管の主面の一方の主面にわたって延びる第２の区域Ｚ２とを含むホログラフィック導波管ＨＷの上面図を示す。
【００６８】
図３Ｂに示すような配置では、第１の区域Ｚ１は、２ｍｍ２のサイズを有する発光ダイオードなどの発光体ＬＥのサイズのものであり得る。発光ダイオードにより発射される光は、ホログラフィック導波管の主面の第２の区域Ｚ２の方向に誘導され得る。したがって、ホログラフィック導波管は、例えば４７０〜５１０ｎｍの範囲に含まれる特定波長により眼科用レンズの装着者の眼を照らすために使用され得る。このような波長は、遅延睡眠期症候群などの日周期リズム疾患を治療するために光線療法において使用され得、また、例えば季節性情動障害を治療するために使用され得る。
【００６９】
このような配置はまた、一体型視線追跡器を一対の眼鏡内に構築することにより視線追跡を行うために使用され得る。視線追跡器は主として、カメラをセンサとして使用し、追跡される眼を照らすためにＩＲ源（主としてＬＥＤ）を使用する。カメラは眼の配向又は位置を測定する。ホログラフィック導波管はＩＲ光を装着者の眼の方向に誘導するために使用され得る。ミラーとして働くホログラフィック格子がレンズの上に置かれ得る。ホログラフィック格子は、装着者の眼から来る光をフレームの蝶番又は蔓部内に組み込まれたカメラの方向へ反射するように構成される。
【００７０】
代替的に、第１の区域Ｚ１は数ｍｍ２のサイズを有する光センサのサイズのものであり得る。図３Ａの例と同様に、第２の区域Ｚ２上のホログラフィック導波管に入り第１の区域Ｚ１から出て来る光はセンサにより収集され得、次に、その結果の装置は線量計として使用され得る。
【００７１】
図３Ｃは複数のホログラフィック導波管ＨＷ１、ＨＷ２、ＨＷ３、ＨＷ４を示す。ホログラフィック導波管ＨＷ１、ＨＷ２、ＨＷ３、ＨＷ４は互いに隣接しており、前述の基板の少なくとも一部分を覆う。各ホログラフィック導波管ＨＷ１、ＨＷ２、ＨＷ３、ＨＷ４は第１の区域Ｚ１１、Ｚ１２、Ｚ１３、Ｚ１４及び第２の区域Ｚ２１、Ｚ２２、Ｚ２３、Ｚ２４をそれぞれ含む。第２の区域Ｚ２１、Ｚ２２、Ｚ２３、Ｚ２４は、ホログラフィック導波管ＨＷ１、ＨＷ２、ＨＷ３、ＨＷ４の全表面にわたって延びる。第１の区域Ｚ１１、Ｚ１２、Ｚ１３、Ｚ１４は、ホログラフィック導波管ＨＷ１、ＨＷ２、ＨＷ３、ＨＷ４の周辺縁の一部分にわたって延びる。
【００７２】
様々なホログラフィック導波管ＨＷ１、ＨＷ２、ＨＷ３、ＨＷ４は、ホログラフィック導波管ＨＷ１、ＨＷ２、ＨＷ３、ＨＷ４の第２の区域Ｚ２１、Ｚ２２、Ｚ２３、Ｚ２４に対応する基板の様々な部分に到着する光を収集するために、そして第１の区域Ｚ１１、Ｚ１２、Ｚ１３、Ｚ１４から出て来る収集された光を様々なセンサＳ１、Ｓ２、Ｓ３、Ｓ４を使用することにより測定するために使用され得る。
【００７３】
このような配置は、場合によっては様々な方向から基板の様々な部分に入射する光を検出するために使用され得、スマート眼鏡又は窓のエレクトロクロミックス又は液晶を制御するために使用され得る。
【００７４】
このような配置はまた、基板の様々な部分に入射する様々な波長を検出するために使用され得、検出される光量に依存して調整可能フィルタを制御するために使用され得る。使用され得る調整可能フィルタの例は国際公開第２０１７／０３２６４９号パンフレットに記載されている。
【００７５】
図４Ａ及び４Ｂは結合装置ＣＤ（ｃｏｕｐｌｉｎｇ  ｄｅｖｉｃｅ）を含むホログラフィック導波管ＨＷの正面図及び側面図を示す。結合装置ＣＤは、ホログラフィック導波管の主面の一方の主面の周囲上に位置する。代替案では、結合装置ＣＤはホログラフィック導波管の周辺縁上に位置し得る。結合装置は、光をホログラフィック導波管中に結合するように又はそれから結合解除するように（すなわち光をホログラフィック導波管から抽出する又は光をホログラフィック導波管中に注入するように）構成される。例えば、結合装置は、被膜、凸及び／又は凹構造、拡散素子、又はホログラフィック導波管中に記録されたブラッグ格子などのホログラフィック格子から選択され得る。凸及び／又は凹構造は、例えばホログラフィック導波管と接触する基板上に配置された単一凸部又は凹部、又は周期的な一連の凸部及び／又は凹部から形成され得、これにより波型格子、又は回折光学素子などのより複雑な構造を形成する。このような凹部及び／又は凸部構造の例は例えば国際公開第２００９／０３２７２１号パンフレットに説明されている。
【００７６】
図４Ａ及び４Ｂの例では、ホログラフィック導波管の主面の一方の主面の上の第２の区域Ｚ２上のホログラフィック導波管ＨＷに入射する光は、ホログラフィック導波管ＨＷの第１の区域Ｚ１の方向に少なくとも部分的に誘導される。第１の区域Ｚ１の方向に誘導される光の一部は、結合解除され（すなわち結合装置ＣＤによりホログラフィック導波管から抽出され）、ホログラフィック導波管ＨＷから、結合装置により出力される光を受信するように構成された光学部品の方向に伝播する。このような光学部品は、スマート眼鏡又は窓のフレーム上に置かれるセンサ、太陽電池、光トラップ又は吸収器であり得る。
【００７７】
代替的に、光は結合装置ＣＤを介してホログラフィック導波管ＨＷ中に結合され（すなわち注入され）得、次に、光は、結合装置ＣＤからホログラフィック導波管ＨＷの第２の区域Ｚ２の方向に部分的に誘導される。発光体などの光学部品は、光が結合装置ＣＤの方向に発射されるように、ホログラフィック導波管の近傍のスマート眼鏡又は窓のフレーム上に配置される。
【００７８】
したがって、眼鏡又は窓のフレーム内の光学部品の位置は、光学部品により発射又は受信された光が結合装置の方向へ向けられるように、結合装置の位置を選択することにより調整され得る。これは、本発明による眼鏡又は窓のフレーム内の光学部品の設計及び一体化におけるより大きな柔軟性を可能にする。
【００７９】
図５は、基板４０１上に置かれた感光層４０２上のホログラフィック導波管の記録のために使用される光学的セットアップの例を示す。
【００８０】
光学的セットアップ４００は、例えば１つの初期直線偏光に沿って光を発射するレーザ４０３などのコヒーレント光の源、半波長板４０４、偏光ビームスプリッタ４０５、２つのミラー４０７、４０８、第１のビーム形成アセンブリ４０９、及び第２のビーム形成アセンブリ４０６を含む。
【００８１】
光学的セットアップ４００は単一レーザビームＢ０から基準ビームＲＢ及び物体ビームＯＢを生成するようにされる。基準ビームＲＢはホログラフィック導波管の第２の区域Ｚ２に対応する感光層４０２の主面４０２ａの少なくとも一部分の方向へ向けられるように意図されている。物体ビームＯＢはホログラフィック導波管ＨＷの第１の区域Ｚ１に対応する感光層４０２の周辺縁４０２ｂの少なくとも一部分の方向へ向けられるように意図されている。
【００８２】
レーザ４０３から来るレーザビームＢ０は初期直線偏光を有する。レーザ４０３が直線偏波ビームＢ０を直接発射してもよいし、追加の四分の一波長板が直線偏波ビームＢ０を得るために使用されてもよい。偏光の方向は半波長板４０４を回転させることにより修正され得る。次に、レーザビームＢ０は、第１の直線偏光を有する光を反射するとともに第１の直線偏光に対し垂直な第２の直線偏光を有する光を送信することにより、偏光ビームスプリッタ４０５を使用することにより２つのレーザビームＢ０１及びＢ０２に分割される。半波長板４０４は２つのレーザビームＢ０１及びＢ０２のそれぞれの強度を制御するために回転される。第１のビームＢ０１は２つのミラー４０７及び４０８を使用することにより感光層４０２の周辺縁４０２ｂの方向へ向けられる。第１のビームＢ０１は第１のビーム形成アセンブリ４０９を使用することにより物体ビームＯＢへ形成される。物体ビームＯＢは、光線を集束することで形成され、感光層４０２の周辺縁４０２ｂへ合焦される。基準ビームＲＢは、第２のビーム形成アセンブリ４０６を使用する用途に依存して平行な発散又は集束光線で形成される。第１及び第２のビーム形成アセンブリ４０６、４０９は、集束又は発散ビームを形成するために１つ又は複数のレンズを含み得る。第１及び第２のビーム形成アセンブリ４０６、４０９はまた、例えば区域Ｚ１、Ｚ２の境界を定めるためのマスク及び／又はビームＢ０１、Ｂ０２の強度及び／又は位相を制御するための液晶のマトリクスを含み得る。代替的に、ホログラフィック導波管の記録のために使用される基板４０１は、感光層中へ記録されるホログラフィック導波管の広がりの境界を定めるためのマスクを含み得る。基板４０１は、合焦された物体ビームＯＢのサイズに対してホログラフィック導波管の第１の区域Ｚ１のサイズを増加するために回転され得る。
【００８３】
様々なホログラフィック導波管が、基板４０１を並進及び回転させることにより、及び第１及び第２の区域の位置を感光層４０２上に適合することにより同じ感光層４０２上に記録され得る。第１のビーム形成アセンブリ４０６は、新しいホログラフィック導波管ＨＷの記録毎に、求められる基準ビームＲＢに応じて選択され得る。一実施形態では、同じ感光層４０２内の１つ又は複数のホログラフィック導波管の記録後、感光層は、基板４０１から取り出され、図１Ａ、１Ｂの基板１０１、２０１の一方の上に置かれ得る。
【００８４】
別の実施形態では、ホログラフィック導波管ＨＷは、図１Ａ、１Ｂ、１Ｃの光学物品１００、２００の基板１０１、２０１を覆う感光層１０２、２０２の一方の上に直接記録される。さらに別の実施形態では、図１Ｃの感光層３０２は、第１の基板３０１と第２の基板３０６との間に埋め込まれる一方で直接記録される。
【００８５】
異なるホログラフィック導波管同士は、隣接し、図３Ｃに以前示したように互いに接触してもよいし、感光層４０２で形成される空間により分離されてもよい。異なるホログラフィック導波管間の空間は図６に示すように他の機能を実現するために使用され得る。
【００８６】
図６は、４つの周辺ホログラフィック導波管ＨＷ０１、ＨＷ０２、ＨＷ０３、ＨＷ０４及び１つの中央ホログラフィック導波管ＨＷ００を含む感光層の上面図を示す。
【００８７】
中央ホログラフィック導波管ＨＷ００は、感光層の中心に置かれたその第２の区域Ｚ２００の一部分と、感光層の縁の方向に延びる１つの周辺部分とを有する。第１の区域Ｚ１００は感光層の周辺縁上に置かれる。
【００８８】
周辺ホログラフィック導波管ＨＷ０１、ＨＷ０２、ＨＷ０３、ＨＷ０４は第２の区域Ｚ２００の中央部分に隣接し、ホログラフィック導波管ＨＷ０１及びＨＷ０４もまた中央ホログラフィック導波管ＨＷ００の第２の区域Ｚ２００の周辺部分に隣接する。周辺ホログラフィック導波管は、図３Ｃを参照して以前説明したホログラフィック導波管ＨＷ１、ＨＷ２、ＨＷ３、ＨＷ４と同様である。ホログラフィック導波管ＨＷ０１、ＨＷ０２、ＨＷ０３、ＨＷ０４はそれぞれ、各ホログラフィック導波管の周辺縁の一部分に位置する第１の区域Ｚ１０１、Ｚ１０２、Ｚ１０３、Ｚ１０４を含む。有利には、感光層はさらに３つの導波管Ｗｌ、Ｗ２、及びＷ３を含む。導波管はホログラフィック導波管間に含まれる感光層の一部分により形成される。各導波管の上には、導波管中へ誘導された光を結合解除するように構成されたホログラフィックミラーが形成される。
【００８９】
このような配置もまた、一体型視線追跡器を眼鏡のフレーム内に構築するために使用され得る。次に、眼鏡のフレーム内に組み込まれるＩＲ  ＬＥＤにより発射されるＩＲ光が、眼科用レンズの中心の方向に、３つの導波管Ｗ１、Ｗ２、Ｗ３中へ誘導される。次に、ＩＲ光はホログラフィックミラーを介して導波管から結合解除され、次に、装着者の眼の方向へ向けられる。
【００９０】
次に、装着者の眼により反射された光は、眼科用レンズの方向に、より具体的には、入力区域として働くホログラフィック導波管ＨＷ００、ＨＷ０１、ＨＷ０２、ＨＷ０３、ＨＷ０４の第２の区域の少なくとも一部分の方向に向けられる。次に、光は、眼科用レンズの周辺縁におけるホログラフィック導波管ＨＷ００、ＨＷ０１、ＨＷ０２、ＨＷ０３、ＨＷ０４の第１の区域Ｚ１００、Ｚ１０１、Ｚ１０２、Ｚ１０３、Ｚ１０４の方向に誘導される。出力区域Ｚ１００、Ｚ１０１、Ｚ１０２、Ｚ１０３、Ｚ１０４内の各ホログラフィック導波管により収集される光量はセンサＳ０、Ｓ１、Ｓ２、Ｓ３、Ｓ４により測定され得る。センサは、例えば各ホログラフィック導波管の周辺縁上の対応する出力区域Ｚ１００、Ｚ１０１、Ｚ１０２、Ｚ１０３、Ｚ１０４の近傍に位置し得る。センサＳ０、Ｓ１、Ｓ２、Ｓ３、Ｓ４又は発光体ＬＥ１、ＬＥ２、ＬＥ３が各ホログラフィック導波管の周辺縁上に直接置かれない場合、任意選択的結合装置が使用され得る。
【００９１】
この実施形態によると、装着者の眼の配向は、ホログラフィック導波管の入力区域により形成される５つの異なる区域の測定された反射の差に基づき判断され得る。装着者の眼により反射される光は、例えば眼の各部分の表面、吸収、及び幾何学形状の差のために、眼のどの部分（強膜、瞳、及び虹彩）が照らされるかに依存して異なり得る。
【図１Ａ】
2020528571.tif 000003
【図１Ｂ】
2020528571.tif 000004
【図１Ｃ】
2020528571.tif 000005
【図２Ａ】
2020528571.tif 000006
【図２Ｂ】
2020528571.tif 000007
【図２Ｃ】
2020528571.tif 000008
【図３Ａ】
2020528571.tif 000009
【図３Ｂ】
2020528571.tif 000010
【図３Ｃ】
2020528571.tif 000011
【図４Ａ】
2020528571.tif 000012
【図４Ｂ】
2020528571.tif 000013
【図５】
2020528571.tif 000014
【図６】
2020528571.tif 000015
【手続補正書】
【提出日】令和2年1月28日(2020.1.28)
【手続補正１】
【補正対象書類名】明細書
【補正対象項目名】００４１
【補正方法】変更
【補正の内容】
【００４１】
光学物品３００もまた窓であり得、この場合、外面３０６ｂ及び３０１ｂの両方は平面である。
【手続補正２】
【補正対象書類名】明細書
【補正対象項目名】００６０
【補正方法】変更
【補正の内容】
【００６０】
図２Ｃでは、光のビームＢ２は、第２の区域Ｚ２上の感光層ＰＨＬの主面の一方の主面上に入射している。ビームＢ２からの光の一部は、感光層ＰＨＬ内及びホログラフィック導波管ＨＷ内へ結合される。結合された光は、第１の区域Ｚ１の方向にホログラフィック導波管ＨＷ内で少なくとも部分的に誘導される。次に、光はホログラフィック導波管ＨＷから結合解除され、ビームＢ１を形成する第１の区域Ｚ１、及び、第１の区域Ｚ１の外のホログラフィック導波管から出て来る。ビームＢ１は物体ビームＯＢに対応するが反対方向に伝播する。
【国際調査報告】
2020528571.tif 000016
2020528571.tif 000017